(57)【要約】【課題】薄型構造の情報処理装置で、さらに薄型化を促進して携帯性を向上を図った情報処理装置を提供する。【解決手段】情報処理装置の本体１内部に少なくともメインボード２と、電源ボード３と、内蔵バッテリ４と、内蔵ハードディスクドライブ（ＨＤＤ）５とを具備し、これらが平面的に重ならないように配置されている。また、内蔵バッテリ４及び内蔵ＨＤＤ５はパームレスト７の下部に配置されている。【選択図】図１
2006059386.tif 000002
【特許請求の範囲】
【請求項１】
情報処理装置の本体内部に少なくともメインボードと、電源ボードと、内蔵バッテリと、内蔵ハードディスクドライブとを具備し、これらが平面的に重ならないように配置されていることを特徴とする薄型構造の情報処理装置。
【請求項２】
更に、キーボードモジュールと、パームレストとを有し、前記内蔵バッテリ及び前記内蔵ハードディスクドライブを該キーボードモジュールの下部には配置せず、これらを前記パームレスト部の下部に配置したことを特徴とする請求項１に記載の薄型構造の情報処理装置。
【請求項３】
前記メインボードには上向きのコネクタを有し、該コネクタは該メインボードと前記キーボードモジュールとの重なっている部分以外の前記メインボードの部分に設けられていることを特徴とする請求項２に記載の薄型構造の情報処理装置。
【請求項４】
更に、少なくとも２つのＰＣカードスロットを有し、該スロットは互いに平面的に重ならないように前記メインボードと前記キーボードモジュールとの間に配置されることを特徴とする請求項２に記載の携帯型コンピュータ装置。
【発明の詳細な説明】
【技術分野】
【０００１】
本発明はノート型パーソナルコンピュータ、ワードプロセッサ等の情報処理装置に関し、特に薄型構造の情報処理装置に関する。
近年の携帯型コンピュータ等の情報機器の携帯性の向上に伴い、情報処理装置の薄型化が要求されている。このため、厚さの薄い情報処理装置を提供する必要がある。
【背景技術】
【０００２】
従来の情報処理装置では、情報機器を構成する内部のモジュールやユニットが高さ方向に重なって配置された部分が存在していた。一例を挙げると、キーボードモジュールやメインボードの下部に内蔵バッテリや内蔵ハードディスクドライブ（ＨＤＤ）を配置していた。また、従来の情報処理装置では、メインボードのキーボードモジュールと向かい合う面に、上向きコネクタが配置されていた。また、従来の情報処理装置では、ＰＣカードスロットを２つ装備する場合は、高さ方向に積み重ねた形に配置されていた。
【０００３】
また、従来技術として例えば、特開昭８−７６８８７号公報又は特開平８−７６８９８号公報には、情報処理装置を薄型にした構造が示されている。特開昭８−７６８８５号公報には、スピーカ周辺処理用基板に設置したスピーカ付きの情報機器が開示されており、特開平８−７６８８６号公報には、液晶表示装置を取付ける蓋筐体を薄型にした構造が示されている。
【発明の開示】
【発明が解決しようとする課題】
【０００４】
上述のように、従来の情報処理装置では、情報機器の厚さは、重なって配置された各内部モジュールの各々の高さを合計したものとなり、個々の内部モジュールの高さに比べ、重なって配置されていた分だけ厚くなっていた。また、メインボードとキーボードモジュールとの間隔は、コネクタの高さとケーブルの引回しの分だけ必要となっていた。更に、ＰＣカードスロットを２つ装備する場合は、１つを装備する場合より厚さが必要となっていた。
【０００５】
そこで、本発明は、薄型化を更に促進して携帯性を向上を図った情報処理装置を提供することを課題とする。
【課題を解決するための手段】
【０００６】
上記の課題を達成するために、本発明によれば、情報処理装置の本体内部に少なくともメインボードと、電源ボードと、内蔵バッテリと、内蔵ＨＤＤとを具備し、これらが平面的に重ならないように配置されていることを特徴とする薄型構造の情報処理装置が提供される。このように、本発明では、メインボードと、電源ボードと、内蔵バッテリと、内蔵ＨＤＤが、各々を接続するコネクタ部分以外は重ならないように配置しているので、情報処理装置の内部で必要な厚さを従来より薄くすることができる。
【０００７】
更に、キーボードモジュールと、パームレストとを有し、前記内蔵バッテリ及び前記内蔵ＨＤＤを該キーボードモジュールの下には配置せず、これらを前記パームレストの下に配置したことを特徴とする。このように、内蔵バッテリ及び前記内蔵ハードディスクをキーボードモジュールの下には配置せず、最も高さのとれるパームレストの下に配置することにより、情報処理装置の内部で必要な厚さを従来より薄くすることができる。
【０００８】
前記メインボードには上向きのコネクタを有し、該コネクタは該メインボードと前記キーボードモジュールとの重なっている部分以外の前記メインボードの部分に設けられていることを特徴とする。このように、上向きのコネクタを、キーボードモジュール直下以外の部分である、例えばメインボードを前方からみてその前端又は後端に配置しているので、情報処理装置の内部で必要な厚さを従来より薄くすることができる。
【０００９】
更に、少なくとも２つのＰＣカードスロットを有し、該スロットは互いに平面的に重ならないように前記メインボードと前記キーボードモジュールとの間に配置されることを特徴とする。このように、ＰＣカードスロットが、例えば、情報機器の前方から見て、メインボードの左右側面に１スロットずつ配置されているので、従来のように高さ方向に積み重ねたＰＣカードスロットよりも、情報処理装置の内部で必要な厚さを従来より薄くすることができる。
【発明を実施するための最良の形態】
【００１０】
以下、添付図面を参照して本発明の情報処理装置の実施形態について詳細に説明する。
図１は本発明の情報処理装置の内部モジュールの配置構成を平面から見た状態であり、図２は同配置構成を斜めから見た透視図である。これらの図において、１は情報機器本体、２はメインボード、３は電源ボード、４は内蔵バッテリ、５は内蔵ＨＤＤ、６はキーボードモジュール、７はパームレスト、８はポインティングデバイス、１０はＰＣカードスロットである。図１に示すように、操作者（図示せず）の側から見て、メインボード２は後方の広い領域にあり、その前方の中央に電源ボード３が、右側に内蔵バッテリ４が、左側に内蔵ＨＤＤ５がそれぞれ並べて配置され、これらが平面的に互いに重ならないように配置されている。なお、図１に示すように、メインボード１と内蔵ＨＤＤ５との間はケーブル及びコネクタで接続され、電源ボード３と内蔵バッテリ４との間はコネクタで接続されている。
【００１１】
前方側の左右両側の内蔵バッテリ４及び内蔵ＨＤＤ５は比較的高さがあるので、キーボードモジュール６の下には配置せず、最も高さのとれるパームレスト７の下部に配置されている（図５も参照）。前方側の中央の電源ボード３は内蔵バッテリ４及び内蔵ＨＤＤ５と比べると高さが低く、したがってカーソル移動用のポインティングデバイス３の下部に配置されている。
【００１２】
メインボード２は比較的厚さが薄く、概ねキーボードモジュール６と重ねて配置されている。しかしながら、図３に示すように、メインボード２に接続される上向きのコネクタ９は、メインボード２とキーボードモジュール６とが重なっている部分以外の部分、例えば、操作者（図示せず）の側から見て、キーボードモジュール６の領域から外れたメインボード２の前端及び後端の位置に設けられる。メインボード２上に配置されている他の電子部品（図示せず）はコネクタ９と比べると厚さが極めて薄いので、キーボードモジュール６と重なった位置にあっても情報処理装置の内部の厚さを全体として大きくすることはない。したがって、コネクタ９をキーボードモジュール６の下部に配置した従来の情報処理装置（一例を図６に示す）と比較して内部の必要な厚さを薄くすることができる。
【００１３】
なお、上向きのコネクタ９は、メインボード２とキーボードモジュール６とが重なっている部分以外のメインボード２の部分であればどの部分に設けてもよく、例えば、メインボード２の左端及び／又は右端に設けることもできる。
図４は機能拡張用のカードを差し込むためのスロット、即ちＰＣカードスロット１０を２つ配置した場合のメインボード２とスロット１０の位置関係を示す。このように、２つのＰＣカードスロット１０は、操作者（図示せず）の側から見て、メインボード２の左右に１スロットずつ、互いに重ならないように配置されている。そして、各ＰＣカードスロット１０は、図２に示すように、メインボード２とキーボードモジュール６との間に配置されている。したがって、操作者は情報処理装置の左右の側面から必要なＰＣカード（図示せず）を挿入することができる。なお、図２にはＰＣカードスロット１０を右側に１個だけしか示していないが、左右に設けることができる。また、挿入可能であるならば、左右以外の個所にＰＣカードスロットを設けてよいことは勿論である。
【００１４】
なお、さらに厚さを薄くするためには、メインボード１０のＰＣカードスロット１０を設ける部位に対応する個所を切り欠いて、この欠り切きの部分にＰＣカードスロットを配置することも可能である。
第７図は本発明の情報処理装置１の外観を６面図で示したものである。本発明の情報処理装置１の外形寸法は、例えば、幅２９７ｍｍ、奥行２３２ｍｍ、高さ２８．２ｍｍと薄型に構成することができる。
【産業上の利用可能性】
【００１５】
以上に説明したように、本発明によれば、メインボードと、電源ボードと、内蔵バッテリと、内蔵ＨＤＤが、各々を接続するコネクタ部分以外は重ならないように配置しているので、情報処理装置の内部で必要な厚さを従来より薄くでき、機器の薄型化、携帯性の向上に寄与することができる。
また、内蔵バッテリ及び内蔵ハードディスクをキーボードモジュールの下には配置せず、最も高さのとれるパームレスト部の下に配置することにより、同様に、情報処理装置の薄型化、携帯性の向上に寄与することができる。
【００１６】
また、メインボードの上向きのコネクタを、キーボードモジュール直下以外の部分、例えばメインボードを前方からみてその前端又は後端に配置しているので、キーボードモジュールと重ならない分だけ、機器の厚さを薄くでき、装置の薄型化、携帯性の向上に寄与することができる。
更にまた、２つのＰＣカードスロットが高さ方向に積み重ならないように配置されているので、このようなＰＣカードスロットを設けたことによって機器の厚さを大きくすることはなく、情報処理装置の薄型化、携帯性の向上に寄与することができる。
【図面の簡単な説明】
【００１７】
【図１】本発明の情報処理装置の内部モジュールの配置構成を平面的に見た図である。
【図２】同情報処理装置の内部モジュールの配置構成を斜めから見た透視図である。
【図３】メインボードに設けた上向きコネクタの配置を示す図である。
【図４】ＰＣカードスロットの配置を示す図である。
【図５】本発明の情報処理装置の内部モジュールの配置を側面から見た図である。
【図６】従来の情報処理装置におけるメインボードのコネクタの配置を示す図である。
【図７】本発明の薄型情報処理装置の一実施例の６面図を示す。
【符号の説明】
【００１８】
１    情報処理装置の本体
２    メインボード
３    電源ボード
４    内蔵バッテリ
５    内蔵ＨＤＤ
６    キーボード
７    パームレスト
８    ポインティングデバイス
９    コネクタ
１０    ＰＣカードスロット
【図１】
2006059386.tif 000003
【図２】
2006059386.tif 000004
【図３】
2006059386.tif 000005
【図４】
2006059386.tif 000006
【図５】
2006059386.tif 000007
【図６】
2006059386.tif 000008
【図７】
2006059386.tif 000009
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
情報機器の本体内部に少なくともメインボードと、バッテリと、ハードディスクドライブとを具備し、かつ、前記メインボードの上部に位置するキーボードモジュールと、該キーボードモジュール外に位置するパームレスト部を有し、
前記メインボードと、前記バッテリと、前記ハードディスクドライブを平面的に重ならないように配置し、かつ、前記バッテリ及び前記ハードディスクドライブを該キーボードモジュールの下部には配置せず、これらを前記パームレスト部の下部に配置し、
前記メインボードは、前記キーボードモジュールと重なっている部分及び前記パームレスト部の下部に位置し前記キーボードモジュールと重なっていない部分からなり、その重なっていない部分に上向きのコネクタを有することを特徴とする情報機器。
【請求項２】
更に、少なくとも２つのスロットを有し、該スロットは互いに平面的に重ならないように前記メインボードと前記キーボードモジュールとの間に配置されることを特徴とする請求項１に記載の情報機器。
【手続補正２】
【補正対象書類名】明細書
【補正対象項目名】０００６
【補正方法】変更
【補正の内容】
【０００６】
上記の課題を達成するために、本発明によれば、情報機器の本体内部に少なくともメインボードと、バッテリと、ハードディスクドライブとを具備し、かつ、前記メインボードの上部に位置するキーボードモジュールと、該キーボードモジュール外に位置するパームレスト部を有し、
前記メインボードと、前記バッテリと、前記ハードディスクドライブを平面的に重ならないように配置し、かつ、前記バッテリ及び前記ハードディスクドライブを該キーボードモジュールの下部には配置せず、これらを前記パームレスト部の下部に配置し、
前記メインボードは、前記キーボードモジュールと重なっている部分及び前記パームレスト部の下部に位置し前記キーボードモジュールと重なっていない部分からなり、その重なっていない部分に上向きのコネクタを有することを特徴とする情報機器が提供される。このように、本発明では、メインボードと、バッテリと、内蔵ＨＤＤが、各々を接続するコネクタ部分以外は重ならないように配置しているので、情報処理装置の内部で必要な厚さを従来より薄くすることができる。
【手続補正３】
【補正対象書類名】明細書
【補正対象項目名】０００７
【補正方法】変更
【補正の内容】
【０００７】
更に、本発明によれば、バッテリ及び前記ハードディスクをキーボードモジュールの下には配置せず、最も高さのとれるパームレストの下に配置することにより、情報処理装置の内部で必要な厚さを従来より薄くすることができる。
【手続補正４】
【補正対象書類名】明細書
【補正対象項目名】０００８
【補正方法】変更
【補正の内容】
【０００８】
更にまた、本発明では、上向きのコネクタを、キーボードモジュール直下以外の部分である、例えばメインボードを前方からみてその前端又は後端に配置しているので、情報処理装置の内部で必要な厚さを従来より薄くすることができる。